(57)【特許請求の範囲】
【請求項１】
縦筒３の前面からシリンダ４を、かつ上端から射出筒５を、それぞれ前方突出すると共に、それ等縦筒および射出筒の上部および左右両側面とシリンダ基部の左右両側面とをカバー６で覆合するボディ本体２と、
上記シリンダ内へ後端部を嵌合させ、かつ前部をシリンダ前方へ突出するプランジャ11と、
上記射出筒前部へ上端部を枢着させて下前方へ突出させ、かつ上記プランジャ前端を上部後面へ係合させたトリガー21と、
上記ボディ本体下面から、縦筒３下端を囲成させて垂下した嵌着筒９内へ、大径基筒部32を、かつ縦筒３内へ、上記大径基筒部の頂壁33を貫通して起立する送液管34を、それぞれ嵌着させたインテーク31と、
上記嵌着筒９下方へ垂下する大径基筒部部分から突出する外向きフランジ41の外周部上面へ、容器体口頸部外面への嵌合筒52上端に付設した内向きフランジ53を係合させた装着筒51と、を主要部材とする合成樹脂製のトリガー式液体噴出器において、
上記縦筒３の左右外側面とカバー左右両側壁との間に下面開口で上面閉塞の縦穴61、61を穿設してこれ等両縦穴内へ、送液管左右両側下方の大径基筒部32の頂壁上面から起立させた、その頂壁上面から送液管上端までの距離のほぼ三分の一以上の長さを有する、ボディ本体に対する位置決め兼用の連結杵62、62を緊密に嵌合させたことを特徴とするトリガー式液体噴出器。
【請求項２】
上記連結杵62、62の前後両面63、64を、縦穴61、61の前後両内へ面接触させた
ことを特徴とする請求項１記載のトリガー式液体噴出器。
【発明の詳細な説明】
【０００１】
【発明の属する技術分野】
本発明はトリガー式の液体噴出器に関する。
【０００２】
【従来の技術】
例えば特開平2000-157897 号が示すように、縦筒の前面からシリンダを、かつ上端から射出筒を、それぞれ前方突出すると共に、それ等縦筒および射出筒の上部および左右両側面とシリンダ基部の左右両側面とをカバーで覆合し、かつ該カバー後部を縦筒後方へ延長するボディ本体と、
上記シリンダ内へ後端部を前方付勢させて嵌合させ、かつ前部をシリンダ前方へ突出するプランジャと、
上記射出筒前部へ上端部を枢着させて下前方へ突出させ、かつ上記プランジャ前端を上部後面へ係合させたトリガーと、
上記ボディ本体下面から、縦筒下端を囲成させて垂下した連結筒内へ、大径基筒部を、かつ縦筒内へ、上記大径基筒部の頂壁を貫通して起立する送液管を、それぞれ嵌着させたインテークと、
上記連結筒下方へ垂下する大径基筒部下部から突出する外向きフランジの外周部上面へ、容器体口頸部外面への嵌合用嵌合筒上端に付設した内向きフランジを係合させた装着筒部材と、を主要部材とする合成樹脂製のトリガー式液体噴出器が広く用いられている。
【０００３】
【発明が解決しようとする課題】
上記トリガー式液体噴出器は、トリガー下部の後方引寄せと解放とによる、プランジャの後退と前進とでシリンダ内および射出筒内を高圧化させて、シリンダ内液体を射出筒前端に嵌合させたノズル筒から噴出すると共に、そのシリンダ内を負圧化させて装着筒を嵌合させた容器体内液体を、インテーク下端から垂設した吸上げパイプを介してシリンダ内へ吸上げ可能としている。
【０００４】
該噴出器は、従来容器体に装着された状態で販売され、容器体内液体が無くなったとき容器体と共に廃棄されていたが、近時は容器体内液体が無くなると、再度液体を容器体内へ補充する等して噴出器を再使用することが多い。該噴出器は合成樹脂製の複数部材を組付けて形成しているから、上記のような再使用によりトリガーの操作回数が増えると既述インテークに対してボディ本体が浮上がって液洩れその他種々の欠点を来すことが判明した。
【０００５】
その原因は恐らく、ボディ本体とインテークとが共に弾性を有する合成樹脂製であって、かつ送液管と縦筒とがそれ等の機能上小径となるに対して、トリガー引寄せによるプランジャ後退時における、上記縦筒および送液管の各上部を射出筒が前方へ引く力が大であるために、それ等送液管および縦筒が前方へ僅かに弯曲し、又トリガー解放時に弾性復元することの反復により、送液管に対して縦筒が目測できない程度に僅かづつ引上げられることによるものと考えられる。
【０００６】
上記欠点はインテークの肉厚を大として全体の剛性を高めることでも除去できるが、本発明は従来ボディ本体とインテークとの位置合わせに用いられていた突部を長くし、連結杵と兼用させることで簡易に上記欠点を除去することを目的とする。
【０００７】
【課題を解決するための手段】
第１の手段として、縦筒３の前面からシリンダ４を、かつ上端から射出筒５を、それぞれ前方突出すると共に、それ等縦筒および射出筒の上部および左右両側面とシリンダ基部の左右両側面とをカバー６で覆合するボディ本体２と、
上記シリンダ内へ後端部を嵌合させ、かつ前部をシリンダ前方へ突出するプランジャ11と、
上記射出筒前部へ上端部を枢着させて下前方へ突出させ、かつ上記プランジャ前端を上部後面へ係合させたトリガー21と、
上記ボディ本体下面から、縦筒３下端を囲成させて垂下した嵌着筒９内へ、大径基筒部32を、かつ縦筒３内へ、上記大径基筒部の頂壁33を貫通して起立する送液管34を、それぞれ嵌着させたインテーク31と、
上記嵌着筒９下方へ垂下する大径基筒部部分から突出する外向きフランジ41の外周部上面へ、容器体口頸部外面への嵌合筒52上端に付設した内向きフランジ53を係合させた装着筒51と、を主要部材とする合成樹脂製のトリガー式液体噴出器において、
上記縦筒３の左右外側面とカバー左右両側壁との間に下面開口で上面閉塞の縦穴61、61を穿設してこれ等両縦穴内へ、送液管左右両側下方の大径基筒部32の頂壁上面から起立させた、その頂壁上面から送液管上端までの距離のほぼ三分の一以上の長さを有する、ボディ本体に対する位置決め兼用の連結杵62、62を緊密に嵌合させたことを特徴とする。
【０００８】
第２の手段として、上記第１の手段を有すると共に上記連結杵62、62の前後両面63、64を、縦穴61、61の前後両内へ面接触させた。
【０００９】
【発明の実施の形態】
以下図面について説明すると、１はトリガー式液体噴出器の全体を示す。該噴出器は従来と同様ボディ本体２と、プランジャ11と、トリガー21と、インテーク31と、装着筒51とを主要部材とする。本発明特徴はインテーク31とボディ本体２との連結方法にあり、その他部分は従来と同様であるから、まず公知部分について簡単に説明する。
【００１０】
ボディ本体２は、縦筒３の前面からシリンダ４を、かつ上端から射出筒５を、それぞれ前方突出すると共に、それ等縦筒および射出筒の上部および左右両側面とシリンダ基部の左右両側面とをカバー６で覆合し、かつ該カバー後部を縦筒３後方へ延長している。尚上記射出筒５前方には連結筒７を嵌合させ、該連結筒前部にノズル筒８を嵌合させている。
【００１１】
プランジャ11は、上記シリンダ内へ前方付勢させて後部12を嵌合させ、かつ前部13をシリンダ４前方へ突出させている。
【００１２】
トリガー21は上記射出筒５前部へ上端部を枢着させて下前方へ突出させ、かつトリガー上部後面に付設した突部22後端へプランジャ前端を係合させている。
【００１３】
インテーク31は、上記ボディ本体下面から縦筒３下端を囲成させて垂下した嵌着筒９内へ大径基筒部32を、かつ縦筒３内へ上記大径基筒部の頂壁33を貫通して起立する送液管34を、それぞれ嵌着させている。
【００１４】
送液管34の中間やや下方寄り部分には吸込み弁35を設けており、かつ送液管下部内には容器体内へ垂下させる吸上げパイプ36を垂下する。又送液管上部内へは吐出弁部材37を設けており、中間やや上方より部分前部の送液管および縦筒部分に透孔38、39を穿設させて該送液管内とシリンダ内とを連通させている。送液管34の上部前面にも射出筒内と連通する透孔40を穿設している。
【００１５】
装着筒51は、上記嵌着筒９下方へ垂下する大径基筒部32部分外面へ付設した外向きフランジ41の外周部上面へ、容器体口頸部外面へ嵌合させるよう設けた嵌合筒52上端に付設した内向きフランジ53を係合させている。
【００１６】
上記各部材はそれぞれ合成樹脂材で形成している。
【００１７】
上記構成のトリガー式液体噴出器は、装着筒51を容器体内口頸部外面へ嵌合させておき、トリガー21の操作によるプランジャ11の後退および前進で容器体内液体を吸込み弁35を介してシリンダ４内へ吸込み、かつ吐出弁部材が形成する吐出弁を介して射出筒５前端のノズル筒８から噴出可能としてる。
【００１８】
本発明にあっては、図２が示すように、既述縦筒３の左右外側面と、カバー左右両側壁との間に、下面開口で上面閉塞の縦穴61、61を穿設し、これ等両縦穴内へ、送液管34左右側方の大径基筒部部分頂壁上面から起立させた、その頂壁上面から送液管上端までの距離のほぼ二分の一の長さを有する連結杵62、62を緊密に嵌合させた。その連結杵の長さは或る程度長く設けることが必要であり、従来、上記大径基筒部の頂壁上面から送液管上端までの距離のほぼ十分の一程度の長さを有する位置合わせ用突子を、その頂壁上面から起立することが行われているが、このような突子ではインテーク抜け出し防止効果はなく、少なくとも上記距離の三分の一程度以上の長さを要する。又各連結杵は相当の強度を有するものとしており、少なくとも前後方向に対しては、ほぼ弯曲不能としてる。
【００１９】
縦穴61、61は、図３が示すように連結杵62、62左右両側に隙間が形成されてもよいが、連結杵の前後両面63、64は縦穴61、61の前後両面へ面接触させる。
【００２０】
【発明の効果】
本発明は既述構成とするものであり、請求項１のように形成すると連結杵62、62が補強することでトリガー引寄せ時における送液管34および縦筒３の弯曲を防止することが出来、よってインテーク31に対するボディ本体の浮上がりを防止できる。又連結杵62、62の形成は、従来の位置合わせ用突子を長く上方へ延長させるだけでよいから簡易に行うことが出来る。
【００２１】
請求項２のようにすることで、上記浮上がり防止を更に確実とすることが出来る。
【図面の簡単な説明】
【図１】    本発明トリガー式液体噴出器の縦断面図である。
【図２】    図１と直交する方向での縦断面図である。
【図３】    図１要部の拡大横断面図である。
【図４】    主要部材の側面図である。
【図５】    図４部材の平面図である。
【符号の説明】
２…ボディ本体          11…プランジャ
21…トリガー            31…インテーク
32…大径基筒部          62…連結杵
【図１】
0003883175.tif 000002
【図２】
0003883175.tif 000003
【図３】
0003883175.tif 000004
【図４】
0003883175.tif 000005
【図５】
0003883175.tif 000006